(57)【要約】【課題】壁やドアがビス打ちできない材料より成る場合であっても、戸あたりやカーテンレールなどの部屋上部部材を設置することができる部屋上部部材の設置構造を提供する。【解決手段】取付部材１０は、長い長方形の金属板を途中で湾曲させ、それぞれ長方形状の第１片１１と第２片１２とを形成したものである。取付部材１０は、第１片１１の上部を梁状部３０の側面３１に重ね合わせ、第２片１２の上端を梁状部３０の底面３２に当接させた状態で、ビス挿通孔１３を通してビス４０を打つことにより該梁状部３０に固着される。第１片１１の下部には戸あたり５０がビス４１によって取り付けられる。【選択図】図３
2006312843.tif 000002
【特許請求の範囲】
【請求項１】
部屋の上部に取付部材が取り付けられ、該取付部材に部屋上部部材が設けられている部屋上部部材の設置構造において、
該取付部材は、上端が該部屋の上部に固定され、下方へ垂下する第１片と、該第１片の下端に連なり、上方に立ち上がる第２片とを有していることを特徴とする部屋上部部材の設置構造。
【請求項２】
請求項１において、前記部屋の上部に梁又はフレームが設けられ、
前記第１片の上部が該梁又はフレームの側面に固着され
前記第２片の上端が該梁又はフレームの底面に当接していることを特徴とする部屋上部部材の設置構造。
【請求項３】
請求項２において、該第１片に前記部屋上部部材として戸あたり又はカーテンパイプが取り付けられていることを特徴とする部屋上部部材の設置構造。
【発明の詳細な説明】
【技術分野】
【０００１】
本発明は、戸あたりやカーテンパイプなどの部屋上部部材を部屋の上部に取り付けた部屋上部部材の設置構造に関する。
【背景技術】
【０００２】
ドアが開いたときに壁等にドアが直接に当ることを防止するために、壁やドアに戸あたりを設けることが行われている。従来の戸あたりの一例（特開平１０−５１０６号の従来技術）を図５に示す。
【０００３】
この戸あたり１は、フック兼用のものであり、それぞれ水平な上片２及び下片３と、これらを結ぶ縦片４とを有した金具よりなり、上片２の先端にゴム製緩衝材５が装着されている。縦片４がビス６によってドア７に取り付けられている。下片３には衣類や携帯品などが掛けられる。
【特許文献１】特開平１０−５１０６号
【発明の開示】
【発明が解決しようとする課題】
【０００４】
図５に示す戸あたりは、ドアや壁がガラス板などビス打ち不可能な材料より成る場合には取り付けることができない。
【０００５】
本発明は、壁やドアがビス打ちできない材料より成る場合であっても戸あたりやカーテンパイプなどの部屋上部部材を設置することができる部屋上部部材の設置構造を提供することを目的とする。
【課題を解決するための手段】
【０００６】
請求項１の部屋上部部材の設置構造は、部屋の上部に取付部材が取り付けられ、該取付部材に部屋上部部材が設けられている部屋上部部材の設置構造において、該取付部材は、上端が該部屋の上部に固定され、下方へ垂下する第１片と、該第１片の下端に連なり、上方に立ち上がる第２片とを有していることを特徴とするものである。
【０００７】
請求項２の部屋上部部材の設置構造は、請求項１において、前記部屋の上部に梁又はフレームが設けられ、前記第１片の上部が該梁又はフレームの側面に固着され前記第２片の上端が該梁又はフレームの底面に当接していることを特徴とするものである。
【０００８】
請求項３の部屋上部部材の設置構造において、請求項２において、該第１片に前記部屋上部部材として戸あたり又はカーテンパイプが取り付けられていることを特徴とするものである。
【発明の効果】
【０００９】
本発明の部屋上部部材の設置構造にあっては、取付部材の第１片の上端が部屋の上部に固定され、この取付部材に部屋上部部材が設けられている。この取付部材は、該第１片を部屋の梁などに取り付けることができるため、部屋の壁がガラス等、ビス打ち不可能な材料より成る場合であっても該取付部材を介して部屋上部部材を設置することができる。
【００１０】
この取付部材は、第１片と第２片とを有しており、剛性が高い。なお、第１片にある部材取付部分が第２片によって覆われているので壁がガラスのように透ける素材を用いた場合でもビス等の部材固着具が目視されず、見映えがよい。
【００１１】
請求項２の部屋上部部材の設置構造にあっては、第２片の上端が梁又はフレームの底面に当接しているので、第１片が第２片側に倒れ込むように動こうとしたときに、第２片がこの動きを阻止する。このため、例えばドアが第１片に当たったときに取付部材が変形することが防止される。
【００１２】
請求項３の通り、本発明は戸あたり又はカーテンパイプの設置に好適であるが、これに限定されない。
【発明を実施するための最良の形態】
【００１３】
以下、図面を参照して実施の形態について説明する。図１は実施の形態に係る部屋上部部材の設置構造に用いられる取付部材の斜視図、図２（ａ）は図１の取付部材の正面図、図２（ｂ）は図２（ａ）のＢ−Ｂ線断面図、図３は戸あたりを設置した部屋上部の縦断面図である。
【００１４】
この取付部材１０は、長い長方形の金属板を途中で湾曲させ、それぞれ長方形状の第１片１１と第２片１２とを形成したものである。第１片１１は第２片１２よりも長く、第１片１１及び第２片１２を上下方向としたときに該第１片１１の上端が第２片１２の上端よりも上方に延出する。
【００１５】
この第１片１１の上部にビス挿通孔１３が設けられ、下部にビス挿通孔１４が設けられている。
【００１６】
図３に示す通り、部屋２０は、方形棒状のアルミフレーム２１にガラス２２を嵌め込んで壁を構成し、該アルミフレーム２１に天井パネル２３を支持金具２４によって支持させたものである。
【００１７】
アルミフレーム２１は、部屋２０の上部の隅角部に側面３１及び底面３２を露呈させる梁状部３０を有している。
【００１８】
取付部材１０は、第１片１１の上部を梁状部３０の側面３１に重ね合わせ、第２片１２の上端を梁状部３０の底面３２に当接させた状態で、ビス挿通孔１３を通してビス４０を打つことにより該梁状部３０に固着される。第１片１１の下部には戸あたり５０がビス４１によって取り付けられる。このビス４１は、ビス挿通孔１４を通して第１片１１に螺じ込まれている。
【００１９】
戸あたり５０は、板状ベース５１と、該板状ベース５１から起立する棒状部５２と、該棒状部５２の先端に装着したゴム製緩衝材５３とを有する。この板状ベース５１が第１片１１に重ね合わされ、ビス４１によって該第１片１１に固定される。
【００２０】
このように構成された戸あたり５０の設置構造にあっては、壁がガラス２２によって構成されていても、該戸あたり５０をアルミフレーム２１に取り付けて設置することができる。また、取付部材１０は第１片１１と第２片１２とを有しており、剛性が高い。この実施の形態では、第２片１２の上端が梁状部３０の底面３２に当接しているので、ドアが戸あたり５０に当ったときの衝撃が第２片１２によっても対抗されるようになり、第１片１１が図３の右方向に変形することが防止される。
【００２１】
上記実施の形態の取付部材１０では、第１片１１の上端は平板状であるが、図４の取付部材１０Ａのように、第１片１１の上端から、直角に、第２片１２から離れる方向に水平片１１ａを延出させてもよい。この水平片１１ａにビス挿通孔１１ｂが設けられている。この取付部材１０Ａのその他の構成は取付部材１０と同一である。
【００２２】
この取付部材１０Ａであれば、水平片１１ａを天井パネルに当て、ビスをビス挿通孔１１ｂからアルミフレームや天井パネルに打つことにより、取付部材１０Ａをアルミフレームや天井パネルに固定することができる。
【００２３】
図示は省略するが、第２片１２の上端にも同様の水平片を設けてもよい。
【００２４】
上記実施の形態では戸あたり５０を取付部材１０に取り付けているが、カーテンパイプ等を取り付けることもできる。
【図面の簡単な説明】
【００２５】
【図１】実施の形態に係る部屋上部部材の設置構造に用いられる取付部材の斜視図である。
【図２】図２（ａ）は図１の取付部材の正面図、図２（ｂ）は図２（ａ）のＢ−Ｂ線断面図である。
【図３】戸あたりを設置した部屋上部の縦断面図である。
【図４】別の実施の形態に用いられる取付部材の斜視図である。
【図５】従来の戸あたりを示す斜視図である。
【符号の説明】
【００２６】
１０，１０Ａ  取付部材
１１  第１片
１２  第２片
２３  天井パネル
３０  梁状部
４０，４１  ビス
５０  戸あたり
【図１】
2006312843.tif 000003
【図２】
2006312843.tif 000004
【図３】
2006312843.tif 000005
【図４】
2006312843.tif 000006
【図５】
2006312843.tif 000007